(57)【特許請求の範囲】
【請求項１】
再生すべきカラオケ用の楽曲を無線にて設定することのできるカラオケシステムであって、
予め定められた物に設けられた前記再生すべきカラオケ用の楽曲を特定するための特定画像を撮影して当該特定画像を示す画像情報を取得する撮影手段、前記撮影手段によって取得された前記画像情報により特定される楽曲を示す楽曲情報を生成する生成手段、前記生成手段によって生成された前記楽曲情報を記憶する楽曲情報記憶手段、表示手段、及び前記生成手段によって生成された前記楽曲情報を無線にて送信する第１通信手段を備えた撮影装置と、
複数の楽曲について、各楽曲を再生するための楽曲再生情報が対応する楽曲を示す楽曲情報に関連付けられて予め記憶された記憶手段、前記第１通信手段によって送信された前記楽曲情報を受信する第２通信手段、及び前記第２通信手段によって受信された前記楽曲情報に関連付けられて記憶されている前記楽曲再生情報を前記記憶手段から読み出し、読み出した楽曲再生情報を用いて楽曲を再生する再生手段を備えたカラオケ演奏装置と、
を含み、
前記撮影装置は、前記カラオケ演奏装置に対して再生すべき楽曲の設定を行う際に、前記楽曲情報記憶手段に前記楽曲情報が記憶されている場合には、前記表示手段に、前記カラオケ演奏装置に対して再生させる楽曲を指定させるための、前記楽曲情報記憶手段に記憶されている楽曲情報により示される楽曲を一覧表示した画面を表示させ、前記楽曲情報記憶手段に前記楽曲情報が記憶されていない場合には、前記表示手段に、前記撮影手段によって前記特定画像を撮影させるための、予め定められた画面を表示させる、
カラオケシステム。
【請求項２】
前記予め定められた物を、前記カラオケ演奏装置に関する物としたことを特徴とする請求項１記載のカラオケシステム。
【請求項３】
前記カラオケ演奏装置に関する物を、前記カラオケ演奏装置において再生対象とされている複数の楽曲を示す情報が掲載された冊子及び前記カラオケ演奏装置に当該カラオケ演奏装置の操作の指示入力を受け付ける操作入力手段が設けられている場合の当該操作入力手段の少なくとも一方としたことを特徴とする請求項２記載のカラオケシステム。
【請求項４】
前記記憶手段を、前記第２通信手段によって受信された前記楽曲情報を更に記憶するものとし、前記第２通信手段を、前記記憶手段に記憶されている当該楽曲情報を更に送信するものとし、前記第１通信手段を、前記第２通信手段によって送信された前記楽曲情報を更に受信するものとし、
前記撮影装置に、前記第１通信手段によって受信された前記楽曲情報により示される楽曲を一覧表示する表示手段を更に設けたことを特徴とする請求項１乃至請求項３の何れか１項記載のカラオケシステム。
【請求項５】
前記特定画像を、１次元バーコード及び２次元コードの少なくとも一方の画像としたことを特徴とする請求項１乃至請求項４の何れか１項記載のカラオケシステム。
【請求項６】
カラオケ演奏装置に対して再生すべきカラオケ用の楽曲を設定する楽曲設定方法であって、
予め定められた物に設けられた前記再生すべきカラオケ用の楽曲を特定するための特定画像を撮影して当該特定画像を示す画像情報を取得する撮影手段、前記撮影手段によって取得された前記画像情報により特定される楽曲を示す楽曲情報を記憶する楽曲情報記憶手段、及び表示手段、を備えた撮影装置により、
前記楽曲情報記憶手段に前記楽曲情報が記憶されている場合には、前記楽曲情報記憶手段に記憶されている楽曲情報により示される楽曲を、前記表示手段に一覧表示し、当該一覧表示の中から選択された楽曲に対応する前記楽曲情報を無線にて送信し、
前記楽曲情報記憶手段に前記楽曲情報が記憶されていない場合には、前記撮影手段によって前記特定画像を撮影させるための、予め定められた画面を前記表示手段に表示し、
前記撮影手段で前記特定画像が撮影されて当該特定画像を示す画像情報を取得すると、取得した前記画像情報により特定される楽曲を示す楽曲情報を生成し、生成した前記楽曲情報を無線にて送信する一方、
カラオケ演奏装置により、
複数の楽曲について、各楽曲を再生するための楽曲再生情報を対応する楽曲を示す楽曲情報に関連付けて記憶手段により予め記憶しておき、
前記撮影装置によって送信された前記楽曲情報を受信した場合に当該楽曲情報に関連付けられて記憶されている前記楽曲再生情報を前記記憶手段から読み出し、
読み出した楽曲再生情報を用いて楽曲を再生する、
楽曲設定方法。
【請求項７】
カラオケ演奏装置に対して再生すべきカラオケ用の楽曲を設定することのできる撮影装置であって、
予め定められた物に設けられた前記再生すべきカラオケ用の楽曲を特定するための特定画像を撮影して当該特定画像を示す画像情報を取得する撮影手段と、
前記撮影手段によって取得された前記画像情報により特定される楽曲を示す楽曲情報を生成する生成手段と、
前記生成手段によって生成された前記楽曲情報を記憶する楽曲情報記憶手段と、
表示手段と、
前記生成手段によって生成された前記楽曲情報を無線にて送信する第１通信手段と、
を備え、
前記撮影装置は、前記カラオケ演奏装置に対して再生すべき楽曲の設定を行う際に、前記楽曲情報記憶手段に前記楽曲情報が記憶されている場合には、前記表示手段に、前記カラオケ演奏装置に対して再生させる楽曲を指定させるための、前記楽曲情報記憶手段に記憶されている楽曲情報により示される楽曲を一覧表示した画面を表示させ、前記楽曲情報記憶手段に前記楽曲情報が記憶されていない場合には、前記表示手段に、前記撮影手段によって前記特定画像を撮影させるための、予め定められた画面を表示させる、
撮影装置。
【発明の詳細な説明】
【技術分野】
【０００１】
本発明は、カラオケシステム、楽曲設定方法及び撮影装置に係り、特に、再生すべきカラオケ用の楽曲を無線にて設定することのできるカラオケシステム、楽曲設定方法及び撮影装置に関する。
【背景技術】
【０００２】
カラオケ演奏装置に対する再生すべき楽曲（伴奏曲）の設定（リクエスト曲の予約）は、一般に、楽曲のタイトルや歌手名順に楽曲のＩＤ（Identification）情報が一覧表記された冊子により当該ＩＤ情報を調べ、当該ＩＤ情報をリモコン装置に登録して無線信号によりカラオケ演奏装置に送信する、という方法で行われている。
【０００３】
しかしながら、分厚い冊子を開いてリクエスト曲を調べてＩＤ情報をキー操作によりリモコン装置に登録するという作業は非常に煩わしい。また、複数人数でカラオケを楽しむ場合等にはリモコン装置が全員に行き渡らずに同じリモコン装置を共同で使い回さなければならず、他の者の使用中に予約を行うことができない。
【０００４】
このような問題を解決するために、特許文献１には、携帯電話網を介して目次サーバと通信する手段と、カラオケ演奏端末に向けてＩｒＤＡ信号を送出する手段を備えた携帯電話機を利用者に所持させ、携帯電話機からの発呼に目次サーバが応答して通話状態になったときに携帯電話機から利用者の個人ＩＤと個人別目次の検索条件を目次サーバに通知する一方、目次サーバにより、携帯電話機から通知された個人ＩＤ・検索条件に基づいて該当する個人別目次データを検索し、検索結果の楽曲名と楽曲ＩＤを携帯電話機に伝達し、携帯電話機により受領した楽曲名を一覧表示して利用者の操作入力により特定された楽曲ＩＤをＩｒＤＡ信号により送出する通信カラオケシステムに関する技術が開示されている。
【０００５】
また、特許文献２には、携帯電話機をマイクロフォンやリモコン装置の代わりに用いることができるカラオケシステムを提供することを目的として、ユーザによって自分の携帯電話機によりコントロールセンタが呼び出された際に、この呼を受けてコントロールセンタにより曲番号の入力を指示するメッセージを携帯電話機へ送信する一方、これに応じてユーザによりカラオケルームの番号及び曲番号が入力されると携帯電話機は当該ルーム番号及び曲番号を無線電話回線を介してコントロールセンタ内のコンピュータへ送り、これに応じて当該コンピュータにより当該曲番号の楽音データ及び画像データを大容量メモリから読み出して、ルーム番号が示すカラオケルームのコントローラへ出力し、更に当該コントローラにより、供給されたデータをメモリに書き込んだ後、当該データを読み出してＭＩＤＩ音源及び表示制御装置へ出力する技術が開示されている。
【特許文献１】特開２０００−１４８１６９公報
【特許文献２】特開２００１−２１５９７７公報
【発明の開示】
【発明が解決しようとする課題】
【０００６】
しかしながら、上記特許文献１に開示されている技術は、カラオケ演奏装置に対して再生すべき楽曲を設定するために携帯電話網を介して目次サーバと通信する必要があるため、当該目次サーバが必須のものとされており、複雑かつ高コストなものとなってしまう、という問題点があった。
【０００７】
また、上記特許文献２に開示されている技術も、無線電話回線を介してコントロールセンタと通信する必要があるため、コントロールセンタが必須のものとされており、複雑かつ高コストなものとなってしまう、という問題点があった。
【０００８】
本発明は上記問題点を解決するためになされたものであり、構成の複雑化及び高コスト化を招くことなく、カラオケ演奏装置に対して専用のリモコン装置を用いることなく再生すべき楽曲を設定することができるカラオケシステム、楽曲設定方法及び撮影装置を提供することを目的とする。
【課題を解決するための手段】
【０００９】
上記目的を達成するために、本発明のカラオケシステムは、再生すべきカラオケ用の楽曲を無線にて設定することのできるカラオケシステムであって、予め定められた物に設けられた前記再生すべきカラオケ用の楽曲を特定するための特定画像を撮影して当該特定画像を示す画像情報を取得する撮影手段、前記撮影手段によって取得された前記画像情報により特定される楽曲を示す楽曲情報を生成する生成手段、前記生成手段によって生成された前記楽曲情報を記憶する楽曲情報記憶手段、表示手段、及び前記生成手段によって生成された前記楽曲情報を無線にて送信する第１通信手段を備えた撮影装置と、複数の楽曲について、各楽曲を再生するための楽曲再生情報が対応する楽曲を示す楽曲情報に関連付けられて予め記憶された記憶手段、前記第１通信手段によって送信された前記楽曲情報を受信する第２通信手段、及び前記第２通信手段によって受信された前記楽曲情報に関連付けられて記憶されている前記楽曲再生情報を前記記憶手段から読み出し、読み出した楽曲再生情報を用いて楽曲を再生する再生手段を備えたカラオケ演奏装置と、を含み、前記撮影装置は、前記カラオケ演奏装置に対して再生すべき楽曲の設定を行う際に、前記楽曲情報記憶手段に前記楽曲情報が記憶されている場合には、前記表示手段に、前記カラオケ演奏装置に対して再生させる楽曲を指定させるための、前記楽曲情報記憶手段に記憶されている楽曲情報により示される楽曲を一覧表示した画面を表示させ、前記楽曲情報記憶手段に前記楽曲情報が記憶されていない場合には、前記表示手段に、前記撮影手段によって前記特定画像を撮影させるための、予め定められた画面を表示させる、ものである。
【００１０】
本発明のカラオケシステムは、再生すべきカラオケ用の楽曲（伴奏曲）を無線にて設定することができるものであり、撮影装置により、予め定められた物に設けられた前記再生すべきカラオケ用の楽曲を特定するための特定画像が撮影手段によって撮影されて当該特定画像を示す画像情報が取得される。なお、上記特定画像には、再生すべき楽曲に予め付与されたＩＤ情報等を示す一次元バーコードや二次元コード等のコードを示す画像の他、当該ＩＤ情報等のそのものを表記した画像が含まれる。また、上記撮影手段による撮影には、ＣＣＤ（Charge Coupled Device）エリアセンサ、ＣＭＯＳ（Complementary Metal Oxide Semiconductor）イメージ・センサ等の固体撮像素子による撮像による撮影が含まれる。
【００１１】
また、本発明の撮影装置では、前記撮影手段によって取得された前記画像情報により特定される楽曲を示す楽曲情報が生成手段によって生成され、生成された前記楽曲情報が楽曲情報記憶手段に記憶され、生成された前記楽曲情報が第１通信手段により無線にて送信される。なお、上記第１通信手段による通信には、ＩｒＤＡ（Infrared Data Association）規格等による赤外線による通信の他、ブルートゥース（Bluetooth）等による電波による通信が含まれる。
【００１２】
一方、本発明では、カラオケ演奏装置により、複数の楽曲について、各楽曲を再生するための楽曲再生情報が対応する楽曲を示す楽曲情報に関連付けられて記憶手段により予め記憶される。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia（登録商標））、フレキシブル・ディスク等の可搬記録媒体やハードディスク等の固定記録媒体等が含まれる。
【００１３】
そして、本発明のカラオケ演奏装置では、前記第１通信手段によって送信された前記楽曲情報が第２通信手段によって受信され、再生手段により、受信された当該楽曲情報に関連付けられて記憶されている前記楽曲再生情報が前記記憶手段から読み出され、読み出された楽曲再生情報が用いられて楽曲が再生される。さらに、撮影装置は、カラオケ演奏装置に対して再生すべき楽曲の設定を行う際に、楽曲情報記憶手段に楽曲情報が記憶されている場合には、表示手段に、カラオケ演奏装置に対して再生させる楽曲を指定させるための、楽曲情報記憶手段に記憶されている楽曲情報により示される楽曲を一覧表示した画面を表示させ、楽曲情報記憶手段に楽曲情報が記憶されていない場合には、表示手段に、撮影手段によって特定画像を撮影させるための、予め定められた画面を表示させる。
【００１４】
このように、本発明のカラオケシステムによれば、撮影装置により、予め定められた物に設けられた再生すべきカラオケ用の楽曲を特定するための特定画像を撮影して当該特定画像を示す画像情報を取得し、取得した前記画像情報により特定される楽曲を示す楽曲情報を生成し、生成した楽曲情報を楽曲情報記憶手段に記憶し、生成した前記楽曲情報を無線にて送信する一方、カラオケ演奏装置により、複数の楽曲について、各楽曲を再生するための楽曲再生情報を対応する楽曲を示す楽曲情報に関連付けて記憶手段により予め記憶しておき、前記撮影装置によって送信された前記楽曲情報を受信した場合に当該楽曲情報に関連付けられて記憶されている前記楽曲再生情報を前記記憶手段から読み出し、読み出した楽曲再生情報を用いて楽曲を再生し、撮影装置は、カラオケ演奏装置に対して再生すべき楽曲の設定を行う際に、楽曲情報記憶手段に楽曲情報が記憶されている場合には、表示手段に、カラオケ演奏装置に対して再生させる楽曲を指定させるための、楽曲情報記憶手段に記憶されている楽曲情報により示される楽曲を一覧表示した画面を表示させ、楽曲情報記憶手段に楽曲情報が記憶されていない場合には、表示手段に、撮影手段によって特定画像を撮影させるための、予め定められた画面を表示させているので、携帯電話網等を介したサーバ装置等との通信を行う必要がないため、構成の複雑化及び高コスト化を招くことなく、カラオケ演奏装置に対して専用のリモコン装置を用いることなく再生すべき楽曲を設定することができる。
【００１５】
なお、本発明は、前記予め定められた物を、前記カラオケ演奏装置に関する物としてもよく、この場合、当該カラオケ演奏装置に関する物を、前記カラオケ演奏装置において再生対象とされている複数の楽曲を示す情報が掲載された冊子及び前記カラオケ演奏装置に当該カラオケ演奏装置の操作の指示入力を受け付ける操作入力手段が設けられている場合の当該操作入力手段の少なくとも一方としてもよい。
【００１６】
また、前記予め定められた物を、前記楽曲に関する物としてもよく、この場合、当該楽曲に関する物を、当該楽曲のオリジナル曲が記録された楽曲記録媒体、当該楽曲記録媒体を収納する収納ケース、及び当該楽曲記録媒体に添付されている歌詞カードの何れかとしてもよい。
【００１７】
また、本発明は、前記撮影装置に、前記撮影手段によって取得された前記画像情報又は前記生成手段によって生成された前記楽曲情報を記憶する第２記憶手段を更に設けてもよい。なお、上記第２記憶手段には、ＲＡＭ、ＥＥＰＲＯＭ、フラッシュＥＥＰＲＯＭ等の半導体記憶素子、スマート・メディア（登録商標）、フレキシブル・ディスク等の可搬記録媒体やハードディスク等の固定記録媒体等が含まれる。
【００１８】
更に、この場合、前記撮影装置に、前記第２記憶手段に記憶された情報により示される楽曲を一覧表示する表示手段と、前記表示手段によって一覧表示された前記楽曲から前記カラオケ演奏装置に対して再生させる楽曲を指定する指定情報を入力する指定入力手段と、を更に設け、前記第１通信手段は、前記指定入力手段によって入力された前記指定情報により指定された楽曲を示す楽曲情報を無線にて送信するものとしてもよい。なお、上記表示手段には、液晶ディスプレイ、有機ＥＬディスプレイ、プラズマ・ディスプレイ、ＣＲＴディスプレイ等の各種ディスプレイが含まれる。
【００１９】
また、本発明は、前記記憶手段を、前記第２通信手段によって受信された前記楽曲情報を更に記憶するものとし、前記第２通信手段を、前記記憶手段に記憶されている当該楽曲情報を更に送信するものとし、前記第１通信手段を、前記第２通信手段によって送信された前記楽曲情報を更に受信するものとする一方、前記撮影装置に、前記第１通信手段によって受信された前記楽曲情報により示される楽曲を一覧表示する表示手段を更に設けてもよい。なお、上記表示手段にも、液晶ディスプレイ、有機ＥＬディスプレイ、プラズマ・ディスプレイ、ＣＲＴディスプレイ等の各種ディスプレイが含まれる。
【００２０】
更に、前述したように、本発明の前記特定画像を、１次元バーコード及び２次元コードの少なくとも一方の画像としてもよい。なお、上記２次元コードには、ＱＲコード、印刷型ステガノグラフィ等が含まれる。ここで、本発明の特定画像として印刷型ステガノグラフィを適用する場合には、特定すべき楽曲のオリジナル曲を歌う歌手の顔画像を印刷すると共に、当該楽曲に予め付与されたＩＤ情報等の識別情報を埋め込む形態等とすることもできる。
【００２１】
一方、上記目的を達成するために、本発明の楽曲設定方法は、カラオケ演奏装置に対して再生すべきカラオケ用の楽曲を設定する楽曲設定方法であって、予め定められた物に設けられた前記再生すべきカラオケ用の楽曲を特定するための特定画像を撮影して当該特定画像を示す画像情報を取得する撮影手段、前記撮影手段によって取得された前記画像情報により特定される楽曲を示す楽曲情報を記憶する楽曲情報記憶手段、及び表示手段、を備えた撮影装置により、前記楽曲情報記憶手段に前記楽曲情報が記憶されている場合には、前記楽曲情報記憶手段に記憶されている楽曲情報により示される楽曲を、前記表示手段に一覧表示し、当該一覧表示の中から選択された楽曲に対応する前記楽曲情報を無線にて送信し、前記楽曲情報記憶手段に前記楽曲情報が記憶されていない場合には、前記撮影手段によって前記特定画像を撮影させるための、予め定められた画面を前記表示手段に表示し、前記撮影手段で前記特定画像が撮影されて当該特定画像を示す画像情報を取得すると、取得した前記画像情報により特定される楽曲を示す楽曲情報を生成し、生成した前記楽曲情報を無線にて送信する一方、カラオケ演奏装置により、複数の楽曲について、各楽曲を再生するための楽曲再生情報を対応する楽曲を示す楽曲情報に関連付けて記憶手段により予め記憶しておき、前記撮影装置によって送信された前記楽曲情報を受信した場合に当該楽曲情報に関連付けられて記憶されている前記楽曲再生情報を前記記憶手段から読み出し、読み出した楽曲再生情報を用いて楽曲を再生するものである。
【００２２】
従って、本発明の楽曲設定方法によれば、本発明のカラオケシステムと同様に作用するので、当該カラオケシステムと同様に、構成の複雑化及び高コスト化を招くことなく、カラオケ演奏装置に対して専用のリモコン装置を用いることなく再生すべき楽曲を設定することができる。
【００２３】
更に、上記目的を達成するために、本発明の撮影装置は、カラオケ演奏装置に対して再生すべきカラオケ用の楽曲を設定することのできる撮影装置であって、予め定められた物に設けられた前記再生すべきカラオケ用の楽曲を特定するための特定画像を撮影して当該特定画像を示す画像情報を取得する撮影手段と、前記撮影手段によって取得された前記画像情報により特定される楽曲を示す楽曲情報を生成する生成手段と、前記生成手段によって生成された前記楽曲情報を記憶する楽曲情報記憶手段と、表示手段と、前記生成手段によって生成された前記楽曲情報を無線にて送信する第１通信手段と、を備え、前記撮影装置は、前記カラオケ演奏装置に対して再生すべき楽曲の設定を行う際に、前記楽曲情報記憶手段に前記楽曲情報が記憶されている場合には、前記表示手段に、前記カラオケ演奏装置に対して再生させる楽曲を指定させるための、前記楽曲情報記憶手段に記憶されている楽曲情報により示される楽曲を一覧表示した画面を表示させ、前記楽曲情報記憶手段に前記楽曲情報が記憶されていない場合には、前記表示手段に、前記撮影手段によって前記特定画像を撮影させるための、予め定められた画面を表示させる。
【００２４】
従って、本発明の撮影装置によれば、本発明のカラオケシステムの撮影装置と同様に作用するので、当該カラオケシステムと同様に、構成の複雑化及び高コスト化を招くことなく、カラオケ演奏装置に対して専用のリモコン装置を用いることなく再生すべき楽曲を設定することができる。
【発明の効果】
【００２５】
本発明によれば、撮影装置により、予め定められた物に設けられた再生すべきカラオケ用の楽曲を特定するための特定画像を撮影して当該特定画像を示す画像情報を取得し、取得した前記画像情報により特定される楽曲を示す楽曲情報を生成し、生成した前記楽曲情報を無線にて送信する一方、カラオケ演奏装置により、複数の楽曲について、各楽曲を再生するための楽曲再生情報を対応する楽曲を示す楽曲情報に関連付けて記憶手段により予め記憶しておき、前記撮影装置によって送信された前記楽曲情報を受信した場合に当該楽曲情報に関連付けられて記憶されている前記楽曲再生情報を前記記憶手段から読み出し、読み出した楽曲再生情報を用いて楽曲を再生し、撮影装置は、カラオケ演奏装置に対して再生すべき楽曲の設定を行う際に、楽曲情報記憶手段に楽曲情報が記憶されている場合には、表示手段に、カラオケ演奏装置に対して再生させる楽曲を指定させるための、楽曲情報記憶手段に記憶されている楽曲情報により示される楽曲を一覧表示した画面を表示させ、楽曲情報記憶手段に楽曲情報が記憶されていない場合には、表示手段に、撮影手段によって特定画像を撮影させるための、予め定められた画面を表示させているので、携帯電話網等を介したサーバ装置等との通信を行う必要がないため、構成の複雑化及び高コスト化を招くことなく、カラオケ演奏装置に対して専用のリモコン装置を用いることなく再生すべき楽曲を設定することができる、という効果が得られる。
【発明を実施するための最良の形態】
【００２６】
以下、図面を参照して、本発明の実施の形態について詳細に説明する。なお、ここでは、本発明の撮影装置を、静止画像の撮影を行うデジタル電子スチルカメラ（以下、「デジタルカメラ」という。）に適用した場合について説明する。
【００２７】
まず、図１を参照して、本実施の形態に係るカラオケシステム９０の構成を説明する。
【００２８】
同図に示すように、本実施の形態に係るカラオケシステム９０は、デジタルカメラ１０と、カラオケ演奏装置７０と、を含んで構成されている。
【００２９】
カラオケ演奏装置７０は、カラオケ演奏装置７０全体の動作を司るＣＰＵ（中央処理装置）７０Ａと、ＣＰＵ７０Ａによる各種プログラムの実行時のワークエリア等として用いられるＲＡＭ７０Ｂと、各種制御プログラムや各種パラメータ等が予め記憶されたＲＯＭ７０Ｃと、各種情報を記憶するために用いられるハードディスク７０Ｄと、デジタルカメラ１０に設けられている後述する無線通信部６０（図４も参照。）との間で予め定められた無線通信規格にて通信を行う無線通信部７０Ｅと、を備えている。なお、本実施の形態に係るカラオケシステム９０では、上記無線通信規格として、ＩｒＤＡを適用しているが、これに限らず、例えば、ブルートゥース等の従来既知の他の通信規格を適用することもできることは言うまでもない。
【００３０】
また、カラオケ演奏装置７０は、後述する楽曲再生情報（図２も参照。）が供給され、当該楽曲再生情報を所定規格のアナログ楽音信号に変換する音源７０Ｆと、マイクロフォン７０Ｇと、マイクロフォン７０Ｇの出力を増幅するアンプ７０Ｈと、音源７０Ｆの出力とアンプ７０Ｈの出力を合成するミキサ７０Ｉと、ミキサ７０Ｉの出力が供給されるスピーカ７０Ｊと、を備えている。なお、本実施の形態に係るカラオケ演奏装置７０では、上記所定規格として、ＭＩＤＩ（Musical Instrument Digital Interface）規格を適用しているが、これに限らないことも言うまでもない。
【００３１】
更に、カラオケ演奏装置７０は、当該カラオケ演奏装置７０への各種操作の指示入力を受け付ける操作入力部７０Ｋと、再生（演奏）対象とする楽曲に関する情報等の各種情報を表示するディスプレイ７０Ｌと、を備えている。なお、本実施の形態に係るカラオケ演奏装置７０では、操作入力部７０Ｋとして、ディスプレイ７０Ｌの表示面上に当該ディスプレイ７０Ｌと一体的に設けられたタッチパネルを適用しているが、これに限らず、操作入力部７０Ｋとディスプレイ７０Ｌを各々別個のものとすることもできる。
【００３２】
カラオケ演奏装置７０は、以上のＣＰＵ７０Ａ、ＲＡＭ７０Ｂ、ＲＯＭ７０Ｃ、ハードディスク７０Ｄ、無線通信部７０Ｅ、音源７０Ｆ、操作入力部７０Ｋ、ディスプレイ７０Ｌ等がシステムバスＢＵＳを介して電気的に相互に接続されて構成されている。
【００３３】
従って、ＣＰＵ７０Ａは、ＲＡＭ７０Ｂ、ＲＯＭ７０Ｃ、及びハードディスク７０Ｄに対するアクセス、無線通信部７０Ｅを介したデジタルカメラ１０との間の各種情報の授受、音源７０Ｆを介した予め登録されている楽曲（伴奏曲）の再生、操作入力部７０Ｋを介した各種操作の把握、及びディスプレイ７０Ｌに対する各種情報の表示を、各々行うことができる。
【００３４】
ところで、本実施の形態に係るカラオケ演奏装置７０では、ハードディスク７０Ｄの所定領域に対して、再生対象とする複数の楽曲に関する情報が予め登録された楽曲データベースＤＢが記憶されている。
【００３５】
図２に示すように、本実施の形態に係る楽曲データベースＤＢは、楽曲ＩＤ情報と、楽曲再生情報が再生対象とする楽曲毎に記憶されて構成されている。なお、上記楽曲ＩＤ情報は、対応する楽曲を特定するための情報であり、他の楽曲と重複しないものとして各楽曲に対して予め付与された情報である。また、上記楽曲再生情報は、対応する楽曲を再生するための情報であり、本実施の形態に係るカラオケ演奏装置７０では、ＭＩＤＩ規格による楽音データとして構成されている。
【００３６】
次に、図３を参照して、本実施の形態に係るデジタルカメラ１０の外観上の構成を説明する。
【００３７】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ５６Ａと、電源スイッチ５６Ｂと、モード切替スイッチ５６Ｃと、が備えられている。
【００３８】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３９】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００４０】
また、モード切替スイッチ５６Ｃは、撮影を行うモードである撮影モード及び被写体像を後述するＬＣＤ３８に再生するモードである再生モードの何れかのモードに設定する際に回転操作される。
【００４１】
一方、デジタルカメラ１０の背面には、前述のファインダ２０の接眼部と、撮影された被写体像やメニュー画面等を表示する液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００４２】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、が備えられている。
【００４３】
次に、図４を参照して、本実施の形態に係るデジタルカメラ１０の電気系の要部構成を説明する。
【００４４】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００４５】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００４６】
なお、デジタル信号処理部３０は、所定容量のラインバッファを内蔵し、入力されたデジタルデータを後述するメモリ４８の所定領域に直接記憶させる制御も行う。
【００４７】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４８】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００４９】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００５０】
なお、本実施の形態のデジタルカメラ１０では、メモリ４８としてフラッシュ・メモリ（Flash Memory）が用いられ、メモリカード５２としてスマート・メディア（Smart Media（登録商標））が用いられている。
【００５１】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００５２】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００５３】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００５４】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００５５】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００５６】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００５７】
更に、デジタルカメラ１０には、前述したカラオケ演奏装置７０の無線通信部７０Ｅとの間で通信を行う無線通信部６０が備えられている。無線通信部６０はＣＰＵ４０に接続されており、ＣＰＵ４０は、無線通信部６０を介してカラオケ演奏装置７０との間で各種情報の授受を行うことができる。
【００５８】
次に、本実施の形態に係るデジタルカメラ１０の撮影時における全体的な動作について簡単に説明する。
【００５９】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００６０】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００６１】
メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００６２】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００６３】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００６４】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。
【００６５】
ところで、本実施の形態に係るカラオケシステム９０では、カラオケ演奏装置７０において再生対象とされている複数の楽曲を示す情報（ここでは、楽曲のタイトル及び歌手名を示す情報）が掲載された冊子８０に対して、一例として図５に示されるように、対応する楽曲を特定することのできる情報（ここでは、楽曲データベースＤＢに登録されている楽曲ＩＤ情報と同様の情報であり、以下、「楽曲情報」という。）を示す特定画像８０Ａが予め印刷されている。なお、同図では、冊子８０の１ページ毎に１曲のみが掲載されている場合について示しているが、これに限らず、１ページに複数曲が掲載されている形態とすることもできる。また、同図に示すように、本実施の形態に係るカラオケシステム９０では、特定画像８０Ａとして二次元コード（ＱＲコード）が適用されているが、これに限らず、一次元バーコードや、楽曲ＩＤ情報そのものを表記した画像、印刷型ステガノグラフィ等を適用することもできる。ここで、印刷型ステガノグラフィを適用した場合には、特定すべき楽曲のオリジナル曲を歌う歌手の顔画像を印刷すると共に、当該楽曲に予め付与された楽曲ＩＤ情報を埋め込む形態等とすることができ、より利便性を向上させることができる。
【００６６】
次に、図６を参照して、楽曲設定処理を実行する際のデジタルカメラ１０の作用を説明する。なお、図６は、デジタルカメラ１０の十字カーソルスイッチ５６Ｄに対する操作により、カラオケ演奏装置７０に対して再生すべき楽曲の設定（リクエスト曲の予約）を行う旨の指示入力がユーザによって行われた際にデジタルカメラ１０のＣＰＵ４０により実行される楽曲設定処理プログラムの処理の流れを示すフローチャートであり、当該プログラムはメモリ４８の所定領域に予め記憶されている。
【００６７】
同図のステップ１００では、メモリ４８における撮影によって得られた楽曲情報を記憶するための記憶領域として予め定められた領域（以下、「撮影楽曲記憶領域」という。）に楽曲情報が蓄積されているか否かを判定し、肯定判定となった場合はステップ１０２に移行する一方、否定判定となった場合には後述するステップ１１０に移行する。
【００６８】
ステップ１０２では、メモリ４８の撮影楽曲記憶領域から全ての楽曲情報を読み出し、読み出した楽曲情報を用いて予め定められた楽曲情報選択画面をＬＣＤ３８に対して表示させ、次のステップ１０４にて所定情報の入力待ちを行う。
【００６９】
図７には、上記ステップ１０２の処理によってＬＣＤ３８に表示される楽曲情報選択画面の表示状態例が示されている。同図に示されるように、本実施の形態に係る楽曲情報選択画面では、リクエスト予約する曲目の選択を促す旨のメッセージと共に、読み出した楽曲情報により特定される楽曲に関する情報（本実施の形態では、楽曲のタイトルと当該楽曲を歌う歌手の名前を示す情報）が一覧表示される。同図に示される楽曲情報選択画面が表示されると、ユーザは、一覧表示された上記楽曲に関する情報にリクエスト予約したい楽曲が含まれる場合には当該楽曲に関する情報を十字カーソルスイッチ５６Ｄの操作により指定する一方、一覧表示された上記楽曲に関する情報にリクエスト予約したい楽曲が含まれない場合には楽曲情報選択画面の最下に表示されている「なし」ボタンを十字カーソルスイッチ５６Ｄの操作により指定する。これにより、上記ステップ１０４が肯定判定となってステップ１０６に移行する。
【００７０】
ステップ１０６では、上記楽曲情報選択画面で何れかの楽曲が選択されたか否かを判定し、否定判定となった場合はステップ１１０に移行する一方、肯定判定となった場合はステップ１０８に移行して、選択された楽曲に対応する楽曲情報を、無線通信部６０を介してカラオケ演奏装置７０に送信し、その後に本楽曲設定処理プログラムを終了する。
【００７１】
一方、ステップ１１０では、予め定められた特定画像撮影指示画面をＬＣＤ３８に対して表示させ、次のステップ１１２にて撮影の実行待ちを行う。
【００７２】
図８には、上記ステップ１１０の処理によってＬＣＤ３８に表示される特定画像撮影指示画面の表示状態例が示されている。同図に示されるように、本実施の形態に係る特定画像撮影指示画面では、リクエスト予約する楽曲の２次元バーコードの撮影を促す旨のメッセージが表示される。同図に示される特定画像撮影指示画面が表示されると、ユーザは、冊子８０のリクエスト予約したい楽曲が掲載されているページを開き、当該楽曲に対応して印刷されている二次元バーコード（図５における特定画像８０Ａ）をデジタルカメラ１０にて撮影する。これに応じて上記ステップ１１２が肯定判定となってステップ１１４に移行する。
【００７３】
ステップ１１４では、上記撮影によって得られたデジタル画像データにより示される特定画像をデコードすることにより楽曲情報を生成し、次のステップ１１６にて、生成した楽曲情報をメモリ４８の撮影楽曲記憶領域に記憶した後、次のステップ１１８にて、生成した楽曲情報を、無線通信部６０を介してカラオケ演奏装置７０に送信し、その後に本楽曲設定処理プログラムを終了する。
【００７４】
次に、図９を参照して、リクエスト予約処理を実行する際のカラオケ演奏装置７０の作用を説明する。なお、図９は、デジタルカメラ１０から楽曲情報が無線通信部７０Ｅを介して受信された際にカラオケ演奏装置７０のＣＰＵ７０Ａにより実行されるリクエスト予約処理プログラムの処理の流れを示すフローチャートであり、当該プログラムはＲＯＭ７０Ｃの所定領域に予め記憶されている。
【００７５】
同図のステップ２００では、デジタルカメラ１０から受信した楽曲情報を、ハードディスク７０Ｄのリクエスト予約された楽曲を示す情報を記憶するための領域として予め定められた領域（以下、「予約楽曲記憶領域」という。）に記憶し、その後に本リクエスト予約処理プログラムを終了する。なお、本リクエスト予約処理プログラムでは、デジタルカメラ１０から受信した楽曲情報を、受信した順に時系列順で予約楽曲記憶領域に記憶する。
【００７６】
次に、図１０を参照して、楽曲再生処理を実行する際のカラオケ演奏装置７０の作用を説明する。なお、図１０は、ハードディスク７０Ｄの予約楽曲記憶領域に楽曲情報が存在する際にカラオケ演奏装置７０のＣＰＵ７０Ａにより実行される楽曲再生処理プログラムの処理の流れを示すフローチャートであり、当該プログラムもＲＯＭ７０Ｃの所定領域に予め記憶されている。
【００７７】
同図のステップ３００では、予約楽曲記憶領域に最初に記憶されている（記憶されてからの経過時間が最も長い）楽曲情報（以下、「処理対象楽曲情報」という。）をハードディスク７０Ｄから読み出し、次のステップ３０２では、読み出した処理対象楽曲情報と同一の楽曲ＩＤ情報に関連付けられて記憶されている楽曲再生情報を楽曲データベースＤＢ（図２も参照。）から読み出して、次のステップ３０４にて、読み出した楽曲再生情報を音源７０Ｆに出力することにより当該楽曲再生情報に対応する楽曲の再生を行う。
【００７８】
次のステップ３０６では、再生した楽曲に対応する楽曲情報で、かつ最初に記憶されている楽曲情報を予約楽曲記憶領域から消去し、次のステップ３０８にて、予約楽曲記憶領域に未再生の楽曲情報が存在するか否かを判定し、肯定判定となった場合は上記ステップ３００に戻り、否定判定となった時点で本楽曲再生処理プログラムを終了する。
【００７９】
次に、図１１を参照して、予約楽曲表示処理を実行する際のデジタルカメラ１０の作用を説明する。なお、図１１は、デジタルカメラ１０の十字カーソルスイッチ５６Ｄに対する操作により、カラオケ演奏装置７０に対して予約されている楽曲の表示を行う旨の指示入力がユーザによって行われた際にデジタルカメラ１０のＣＰＵ４０により実行される予約楽曲表示処理プログラムの処理の流れを示すフローチャートであり、当該プログラムはメモリ４８の所定領域に予め記憶されている。
【００８０】
同図のステップ４００では、予約されている楽曲を示す情報の送信を指示する予約楽曲送信指示情報を、無線通信部６０を介してカラオケ演奏装置７０に送信し、次のステップ４０２にて、カラオケ演奏装置７０からの所定情報の受信待ちを行う。カラオケ演奏装置７０では、予約楽曲送信指示情報をデジタルカメラ１０から受信すると、後述するように予約されている楽曲を示す情報（予約されている楽曲がない場合には予約されていない旨を示す情報、以下、「予約状況情報」という。）を送信する。これに応じて上記ステップ４０２が肯定判定となってステップ４０４に移行する。
【００８１】
ステップ４０４では、カラオケ演奏装置７０から受信した予約状況情報に楽曲情報が含まれているか否かを判定することにより、カラオケ演奏装置７０にリクエスト予約されている楽曲が存在するか否かを判定し、肯定判定となった場合はステップ４０６に移行する。
【００８２】
ステップ４０６では、カラオケ演奏装置７０から受信した予約状況情報に含まれる楽曲情報をメモリ４８の所定領域に記憶し、次のステップ４０８にて、記憶した楽曲情報を用いてリクエスト予約されている楽曲に関する情報をＬＣＤ３８にて一覧表示させた後、本予約楽曲表示処理プログラムを終了する。なお、上記ステップ４０８の処理によって表示される画面の表示状態例としては図７に示されるものを例示することができる。この場合、楽曲設定処理プログラム（図６も参照。）のステップ１０４〜ステップ１０８の処理を実行することにより、ユーザは、一覧表示されている楽曲から再生すべき楽曲をカラオケ演奏装置７０に設定（リクエスト予約）することができる。
【００８３】
一方、上記ステップ４０４において否定判定となった場合はステップ４１０に移行し、リクエスト予約が行われていない旨を示すメッセージをＬＣＤ３８にて表示させた後、本予約楽曲表示処理プログラムを終了する。
【００８４】
次に、図１２を参照して、予約楽曲送信処理を実行する際のカラオケ演奏装置７０の作用を説明する。なお、図１２は、デジタルカメラ１０から予約楽曲送信指示情報が無線通信部７０Ｅを介して受信された際にカラオケ演奏装置７０のＣＰＵ７０Ａにより実行される予約楽曲送信処理プログラムの処理の流れを示すフローチャートであり、当該プログラムはＲＯＭ７０Ｃの所定領域に予め記憶されている。
【００８５】
同図のステップ５００では、ハードディスク７０Ｄの予約楽曲記憶領域から楽曲情報を読み出し、次のステップ５０２にて、読み出した楽曲情報に基づいて予約状況情報を生成して、無線通信部７０Ｅを介してアクセス元のデジタルカメラ１０に送信した後、本予約楽曲送信処理プログラムを終了する。
【００８６】
以上詳細に説明したように、本実施の形態では、撮影装置（ここでは、デジタルカメラ１０）により、予め定められた物に設けられた再生すべきカラオケ用の楽曲を特定するための特定画像を撮影して当該特定画像を示す画像情報を取得し、取得した画像情報により特定される楽曲を示す楽曲情報を生成して、生成した楽曲情報を無線にて送信する一方、カラオケ演奏装置により、複数の楽曲について、各楽曲を再生するための楽曲再生情報を対応する楽曲を示す楽曲情報（ここでは、楽曲ＩＤ情報）に関連付けて記憶手段（ここでは、ハードディスク７０Ｄ）により予め記憶しておき、前記撮影装置によって送信された前記楽曲情報を受信した場合に当該楽曲情報に関連付けられて記憶されている前記楽曲再生情報を前記記憶手段から読み出し、読み出した楽曲再生情報を用いて楽曲を再生しているので、携帯電話網等を介したサーバ装置等との通信を行う必要がないため、構成の複雑化及び高コスト化を招くことなく、カラオケ演奏装置に対して専用のリモコン装置を用いることなく再生すべき楽曲を設定することができる。
【００８７】
また、本実施の形態では、前記予め定められた物を、前記カラオケ演奏装置に関する物としているので、特定画像を容易に撮影することができる結果、再生すべき楽曲の設定を、より容易に行うことができる。
【００８８】
特に、本実施の形態では、当該カラオケ演奏装置に関する物を、前記カラオケ演奏装置において再生対象とされている複数の楽曲を示す情報が掲載された冊子（ここでは、冊子８０）としているので、従来、再生すべき楽曲を設定する際にユーザが参照していた冊子に対する撮影動作によって当該楽曲を設定することができる結果、当該設定を、より容易に行うことができる。
【００８９】
また、本実施の形態では、前記撮影装置により、撮影によって取得された画像情報に基づいて生成された楽曲情報を記憶しているので、当該楽曲情報を参照することにより、過去にリクエスト予約した楽曲を把握することができる。
【００９０】
特に、本実施の形態では、前記撮影装置により、記憶した楽曲情報により示される楽曲を一覧表示して、当該一覧表示した楽曲からカラオケ演奏装置に対して再生させる楽曲を指定させて、指定された楽曲を示す楽曲情報を無線にてカラオケ演奏装置に送信しているので、過去にリクエスト予約した楽曲をカラオケ演奏装置に対して設定する場合には特定画像の撮影を行うことなく、容易に当該設定を行うことができる。
【００９１】
更に、本実施の形態では、カラオケ演奏装置により、前記撮影装置から受信された楽曲情報を記憶しておき、当該楽曲情報を撮影装置に対して送信する一方、撮影装置により、カラオケ演奏装置によって送信された前記楽曲情報を受信し、受信した当該楽曲情報により示される楽曲を一覧表示しているので、リクエスト予約の状況を容易に把握することができる。
【００９２】
なお、本実施の形態では、特定画像を冊子８０に印刷した場合について説明したが、本発明はこれに限定されるものではなく、例えば、特定画像をディスプレイ７０Ｌによって表示する形態とすることもできる。この場合、ユーザは、特定画像撮影指示画面（図８参照。）による指示に応じた撮影を、ディスプレイ７０Ｌに表示された特定画像を被写体として行うことになる。この場合も、本実施の形態と同様の効果を奏することができる。
【００９３】
また、本実施の形態では、デジタルカメラ１０において特定画像の撮影により得られた楽曲情報を記憶しておく場合について説明したが、本発明はこれに限定されるものではなく、例えば、撮影により得られた特定画像そのものを示す画像情報（デジタル画像データ）を記憶しておく形態とすることもできる。この場合も、本実施の形態と同様の効果を奏することができる。
【００９４】
また、本実施の形態では、楽曲設定処理プログラム（図６も参照。）の実行により、撮影楽曲記憶領域に楽曲情報が蓄積されている場合には当該楽曲情報を用いて楽曲情報選択画面を表示し、この中からリクエスト予約したい楽曲を指定させる場合について説明したが、当該楽曲の指定に加えて、表示順序の変更、表示楽曲の一部削除等といった編集機能を設ける形態とすることもできる。この場合、本実施の形態に比較して、より利便性を向上させることができる。
【００９５】
同様に、本実施の形態では、予約楽曲表示処理プログラム（図１１も参照。）の実行により、カラオケ演奏装置７０においてリクエスト予約されている楽曲に関する情報を一覧表示することにより、この中からリクエスト予約したい楽曲を指定可能とする場合について説明したが、当該楽曲の指定に加えて、表示順序の変更、表示楽曲の一部削除等といった編集機能を設ける形態とすることもできる。この場合も、本実施の形態に比較して、より利便性を向上させることができる。
【００９６】
その他、本実施の形態に係るカラオケシステム９０、デジタルカメラ１０、及びカラオケ演奏装置７０の構成（図１，図３，図４参照。）は一例であり、本発明の主旨を逸脱しない範囲内において適宜変更可能であることは言うまでもない。
【００９７】
また、本実施の形態において説明した楽曲データベースＤＢのデータ構造（図２参照。）も一例であり、本発明の主旨を逸脱しない範囲内において適宜変更可能であることは言うまでもない。
【００９８】
また、本実施の形態において説明した各種処理プログラムの処理の流れ（図６，図９〜図１２参照。）も一例であり、本発明の主旨を逸脱しない範囲内において、各ステップの処理順序の変更、不要なステップの削除、新たなステップの追加等を行うことができることは言うまでもない。
【００９９】
また、本実施の形態において示した各種画面の表示状態（図７，図８参照。）も一例であり、本発明の主旨を逸脱しない範囲内において適宜変更可能であることは言うまでもない。
【０１００】
更に、本実施の形態では、本発明の撮影装置をデジタルカメラに適用した場合について説明したが、本発明は、ＰＤＡ（Personal Digital Assistant，携帯情報端末）、携帯電話機等、撮影機能を有する電子機器であれば如何なるものにでも適用できることは言うまでもない。
【図面の簡単な説明】
【０１０１】
【図１】実施の形態に係るカラオケシステムの全体構成を示す概略図（一部ブロック図）である。
【図２】実施の形態に係る楽曲データベースのデータ構造の一例を示す模式図である。
【図３】実施の形態に係るデジタルカメラの外観を示す外観図である。
【図４】実施の形態に係るデジタルカメラの電気系の要部構成を示すブロック図である。
【図５】実施の形態に係る冊子及び特定画像の状態を示す正面図である。
【図６】実施の形態に係る楽曲設定処理プログラムの処理の流れを示すフローチャートである。
【図７】実施の形態に係る楽曲情報選択画面の表示状態例を示す概略図である。
【図８】実施の形態に係る特定画像撮影指示画面の表示状態例を示す概略図である。
【図９】実施の形態に係るリクエスト予約処理プログラムの処理の流れを示すフローチャートである。
【図１０】実施の形態に係る楽曲再生処理プログラムの処理の流れを示すフローチャートである。
【図１１】実施の形態に係る予約楽曲表示処理プログラムの処理の流れを示すフローチャートである。
【図１２】実施の形態に係る予約楽曲送信処理プログラムの処理の流れを示すフローチャートである。
【符号の説明】
【０１０２】
１０    デジタルカメラ
２４    ＣＣＤ（撮影手段）
３８    ＬＣＤ（表示手段）
４０    ＣＰＵ（生成手段）
４８    メモリ（第２記憶手段）
５６    操作部（指定入力手段）
６０    無線通信部（第１通信手段）
７０    カラオケ演奏装置
７０Ａ    ＣＰＵ（再生手段）
７０Ｄ    ハードディスク（記憶手段）
７０Ｅ    無線通信部（第２通信手段）
７０Ｆ    音源
７０Ｋ    操作入力部（操作入力手段）
７０Ｌ    ディスプレイ
８０    冊子
８０Ａ    特定画像
９０    カラオケシステム
【図１】
0004485455.tif 000002
【図２】
0004485455.tif 000003
【図３】
0004485455.tif 000004
【図４】
0004485455.tif 000005
【図５】
0004485455.tif 000006
【図６】
0004485455.tif 000007
【図７】
0004485455.tif 000008
【図８】
0004485455.tif 000009
【図９】
0004485455.tif 000010
【図１０】
0004485455.tif 000011
【図１１】
0004485455.tif 000012
【図１２】
0004485455.tif 000013